(57)【要約】【課題】内視鏡の挿入部が内視鏡カバーの管路に絡むことなくスムーズに装着される内視鏡カバー装着装置を提供する。【解決手段】内視鏡カバー２と内視鏡３とを装着するカバー装着装置１は、各種管路などを内蔵した内視鏡カバー２を保持するカバー保持部となるカバー保持台４と、カバー用内視鏡３の略Ｄ字状の挿入部３１が延出する操作部５を固定する操作部保持部となる操作部保持台６とで構成されている。カバー保持台４は、内視鏡カバー２を直線状態で配置することが可能なように保持台の長さを内視鏡カバー２の全長より長めに形成している。一方、操作部保持台６にはカバー用内視鏡３の操作部５を、この操作部保持台６に対して略水平に固定する操作部固定具６２が設けられ、回転手段である固定ピン６３によって支柱６１に回動自在に軸支されている。【選択図】図１
2004008822.tif 000002
【特許請求の範囲】
【請求項１】
観察光学系を配した挿入部及び内視鏡の把持部を兼ねた操作部を有する内視鏡の操作部の長手方向軸と鉛直方向のなす角度を可変にする手段を有する操作部保持台と、
　管路を配設し内視鏡の挿入部を覆う挿入部カバー及びこの挿入部カバーの手元側に位置する挿入部挿入口を有する内視鏡カバーの長手方向軸と鉛直方向のなす角度を可変にする手段を有するカバー保持台と、
　前記操作部保持台または前記カバー保持台の少なくとも一方に設けられ、前記内視鏡操作部と前記内視鏡カバーの挿入部挿入口との対向位置関係を一致させる回転手段と、
　を具備することを特徴とする内視鏡カバー装着装置。
【発明の詳細な説明】
【技術分野】
【０００１】
　本発明は、内視鏡に内視鏡カバーを装着する際に使用する内視鏡カバー装着装置に関する。
【背景技術】
【０００２】
　従来より、症例に一度使用した内視鏡を再び使用する場合、この内視鏡による感染症などが防止するために、洗浄消毒や滅菌処理などを行っていた。しかし、一度使用した内視鏡を確実に洗浄消毒や滅菌処理するためには相当の時間がかかってしまう。このため、内視鏡の使用効率が低いことが問題になっていた。
【０００３】
　そこで、内視鏡の使用効率を高くするため、内視鏡自体をカバーで覆い、この状態で検査などを行い、症例後にカバーだけを捨てることによって、内視鏡自体を清潔に保つカバー方式内視鏡が提案されている。
【０００４】
　前記カバー方式内視鏡は、内視鏡と、この内視鏡に装着される内視鏡カバーとで構成されている。症例を行うに際しては、予め、滅菌処理されている内視鏡に、滅菌処理済みの内視鏡カバーを被せ、この内視鏡カバーで覆われた内視鏡を患者の体腔内に挿入して検査、処置を行う。
【０００５】
　そして、検査、処置終了後に内視鏡カバーだけを内視鏡から取り外して廃棄する一方、内視鏡カバーを取り外した内視鏡に再び新しい滅菌処理済みの内視鏡カバーを装着して再使用する。このことにより、内視鏡を症例毎に洗浄消毒することなく、連続的に使用することができるので使用効率が上昇する。
【０００６】
　ところが、例えば、口腔から体腔内に挿入する内視鏡では、細長で可撓性を有する挿入部が設けられている。このため、前記内視鏡の挿入部に内視鏡カバーを装着する作業はとても煩わしいものであった。そこで、内視鏡に内視鏡カバーを装着する際の作業性を向上させるため、内視鏡カバー装着装置が提案されている。例えば、特開平５−４９５９２号公報にはカバー用内視鏡と内視鏡カバーとの装着装置として内視鏡用スタンド装置が開示されている。また、特開平４−３５７９２０号公報には内視鏡カバーに空気を送り込むことにより、内視鏡カバーを膨張させ、内視鏡カバーとカバー用内視鏡挿入部とのクリアランスを大きくして、装着を容易にする技術が示されている。
【０００７】
　一般的に、カバー方式内視鏡を構成する内視鏡カバーにはカバー用内視鏡と共に、送気・送水用の管路などが配設される。このため、カバー用内視鏡挿入部の断面形状を略Ｄ字形状あるいは半円形状などに形成して、内視鏡カバー内をカバー用内視鏡を配設する内視鏡用空間部と、送気・送水用の管路などを配設する管路用空間部とに区分けしている。
【発明の開示】
【発明が解決しようとする課題】
【０００８】
　しかしながら、内視鏡カバーを細長で可撓性を有する内視鏡の挿入部に装着する際、内視鏡カバー内に配設されている管路と内視鏡の挿入部とが絡まってしまう不都合があった。そこで、この内視鏡挿入部と内視鏡カバー内に配設されている管路との絡まりを無くすため、内視鏡カバー内に配設されている管路を内視鏡カバー断面において鉛直方向下側に位置させて、内視鏡の挿入部と管路との絡まりを無くすようにしていた。
【０００９】
　ところが、内視鏡の機種によっては、内視鏡カバーに設けられる管路と内視鏡カバーに配置される内視鏡とのレイアウトが変わるため、前記特開平５−４９５９２号公報に示した内視鏡用スタンド装置ではカバー用内視鏡の操作部が常に一定の位置で保持されているので、内視鏡カバーに設けられる管路を鉛直方向上側に配置させたものでは、内視鏡の挿入部を内視鏡カバーに装着するとき前記挿入部が管路に絡まるおそれがある。
【００１０】
　本発明は上記問題点に鑑みてなされたものであり、内視鏡の挿入部が内視鏡カバーの管路に絡むことなくスムーズに装着される内視鏡カバー装着装置を提供することを目的としている。
【課題を解決するための手段】
【００１１】
　本発明の内視鏡カバー装着装置は、観察光学系を配した挿入部及び内視鏡の把持部を兼ねた操作部を有する内視鏡の操作部の長手方向軸と鉛直方向のなす角度を可変にする手段を有する操作部保持台と、管路を配設し内視鏡の挿入部を覆う挿入部カバー及びこの挿入部カバーの手元側に位置する挿入部挿入口を有する内視鏡カバーの長手方向軸と鉛直方向のなす角度を可変にする手段を有するカバー保持台と、前記操作部保持台または前記カバー保持台の少なくとも一方に設けられ、前記内視鏡操作部と前記内視鏡カバーの挿入部挿入口との対向位置関係を一致させる回転手段と、を具備することを特徴とする。
【発明の効果】
【００１２】
　本発明によれば、内視鏡の挿入部が内視鏡カバーの管路に絡むことなくスムーズに装着される内視鏡カバー装着装置を提供することができる。
【発明を実施するための最良の形態】
【００１３】
　以下、図面を参照して本発明の実施例を説明する。  
　図１ないし図５は本発明の第１実施例に係り、図１は内視鏡カバー装着装置の概略構成図、図２は操作部保持台の回転手段を説明する図、図３は操作部保持台とカバー保持台との間隔と口体部の長さとの関係を示す図、図４はカバー保持台に配置される内視鏡カバーの向きを説明する図、図５は内視鏡を内視鏡カバーに装着した状態を示す図である。
【００１４】
　図１に示す内視鏡カバー装着装置（以下カバー装着装置と略記）１は、内視鏡カバー２とカバー用内視鏡３とを装着するための装置である。前記カバー装着装置１には、送気用管路、送水用あるいは吸引管路など各種管路などを配設した内視鏡カバー２を直線状態で保持することが可能な長さのカバー保持台４と、カバー用内視鏡３の略Ｄ字状に形成された先端構成部から延出する可撓性を有する挿入部３１の手元側部及びこの手元側端部に設けられた把持部を兼ねた操作部５を前記内視鏡カバーと同方向に向けて保持する操作部保持台６とで構成されている。
【００１５】
　前記カバー保持台４は２本の脚部４１，４１によって支持され、前記操作部保持台６は支柱６１を前記脚部４１の一方に支持されて、一体型のカバー装着装置１となっている。なお、このカバー保持台４の上には、前記内視鏡カバー２の口体部２１に形成した挿入部挿入口２１ａを操作部保持台方向に向けた内視鏡カバー２が各種管路を鉛直方向下側に位置させて直線状態で配置されている。
【００１６】
　一方、前記操作部保持台６にはカバー用内視鏡３の操作部５を、この操作部保持台６に対して略水平に固定する操作部固定具６２が設けられている。そして、図２に示すようにこの操作部保持台６に固定された操作部が前記内視鏡カバー２の口体部２１に対して回動自在となるように、回転手段として前記操作部保持台６を支柱６１に対して固定ピン６３によって軸支している。このとき、操作部５の中心軸５ａと固定ピン６３の回転軸及び内視鏡カバーの中心軸２ａとが略一致している。
【００１７】
　このため、カバー保持台４に保持された内視鏡カバー２の挿入部挿入口と、操作部保持台６に固定された操作部５との対向位置がずれているときには、回転手段を用いて操作部保持台６を回転させることによって、内視鏡カバーの挿入部挿入口に対する内視鏡操作部の対向位置関係を略一致させることができるようになっている。
【００１８】
　なお、カバー用内視鏡３の操作部５の側部から延出するユニバーサルコード５１の末端に設けられているコネクタ５２は、図１に示すようにカバー保持台４の操作部保持台側に設けたコネクタ受け４２に保持されている。
【００１９】
　また、図３に示すように内視鏡カバー２の口体部２１の長さｌに対して、カバー保持台４と操作部保持台６の間の間隔Ｌをｌ＜Ｌの関係が成り立つように構成している。
【００２０】
　上述のように構成したカバー装着装置１の作用を説明する。  
　まず、カバー保持台４の上に滅菌済みの内視鏡カバー２を配置する。このとき、図４（ａ）に示すように内視鏡カバー２に設けられている管路部２２を鉛直方向下側にしてカバー保持台に配置する。
【００２１】
　次に、カバー用内視鏡３の操作部５を固定具６２で操作部保持台６に固定する。すると、図１に示すようにカバー保持台４に保持されている内視鏡カバーの挿入部挿入口に対して、操作部保持台６の操作部固定具６２に固定されているカバー用内視鏡３の操作部５及びこの操作部５から延出するＤ字形状の挿入部３１の手元側部と内視鏡カバー２とが同方向に直線状に配置される。しかし、図２（ａ）に示すように内視鏡カバー２の口体部２１に設けてある挿入部挿入口とカバー用内視鏡３のＤ字状の挿入部との対向位置関係は一致していない状態になっている。このため、このままの状態でカバー用内視鏡３の挿入部３１を内視鏡カバー内に挿通していくと、管路部２２とが絡むおそれがある。また、固定されたカバー用内視鏡３の挿入部３１に対して内視鏡挿入口２３を対向させようとすると、内視鏡カバー２に配設されている管路部２２が縦方向に配置されて挿入部３１と管路部２２とが絡むおそれがある。このとき、カバー用内視鏡３の挿入部３１は、カバー保持台４の上に保持されている内視鏡カバーに沿って配置されている。
【００２２】
　そこで、カバー装着装置１の操作部保持台６を固定している固定ピン６３を緩め、操作部保持台６を半時計方向に略９０°回転させる。すると、図２（ｂ）に示すように操作部保持台６の操作部固定具６２で固定されている操作部５が固定ピン６３を中心にして回転して、Ｄ字形状の挿入部３１と内視鏡カバー２の口体部２１に設けた挿入部挿入口２１ａとの向きが一致して対向する。
【００２３】
　次いで、上述のように挿入部挿入口２１ａに対してＤ字形状の挿入部３１の対向位置を一致させた状態で、前記カバー用内視鏡３の挿入部３１の先端部を把持して内視鏡カバー内にカバー用内視鏡３の挿入部３１を挿入していく。このとき、図５に示すように前記挿入部３１の中間部分はカバー保持台４と操作部保持台６との間で床に触れることがないように垂れ下がっている。そして、破線に示すように挿入部３１を先端側まで挿入した後、口体部２１と操作部５とを一体的に嵌合固定し、内視鏡と内視鏡カバーとの装着を完了する。
【００２４】
　このように、カバー装着装置の操作部保持台に回転手段を設け、操作部保持台に保持される内視鏡の操作部を内視鏡カバーの中心軸に対して回動自在にすることにより、カバー用内視鏡の操作部を操作部保持台の固定具に固定した後、操作部保持台を回転させて内視鏡カバーの口体部に形成した挿入部挿入口とカバー用内視鏡のＤ字状の挿入部との位置関係を調整することができる。このことにより、カバー保持台に配設する内視鏡カバーを、常に内視鏡カバーに設けた各種管路が鉛直方向下側となるように配置すればよいので、内視鏡と内視鏡カバーとの装着作業工程が統一されるばかりでなく、内視鏡の挿入部と内視鏡カバーに設けられている各種管路との絡みを無くして装着性が大幅に向上する。
【００２５】
　また、カバー保持台と操作部保持台との間間隔Ｌを、口体部の長さｌより長く設定しているので、口体部を把持して作業者の手がカバー保持台と操作部保持台との間に入れて操作部に嵌合させることができるので作業性が大幅に向上する。
【００２６】
　なお、図６に示すようにカバー保持台４及び操作部保持台６にディスポーザブルの滅菌シート７を被せて使用することによって、滅菌処理済みの内視鏡カバー２及びカバー用内視鏡３がカバー保持台４及び操作部保持台６によって汚染されることが無くなり衛生的である。
【００２７】
　また、前記カバー保持台４の形状を図１に示した平面板形状から図７及び図８（ａ）に示すような雨どい状（Ｕ字状）に細長に形成したカバー保持台４ａにしたり、図８（ｂ）に示すようにＶ字断面形状で細長に形成したカバー保持台４ｂ，あるいは図８（ｃ）に示すように凹断面形状で細長に形成したカバー保持台４ｃにすることによって、カバー保持台４に配置される内視鏡カバー２を蛇行させることなく容易、且つ瞬時に内視鏡カバーに設けた各種管路を鉛直方向下側にして直線状態に安定的に配置することができる。
【００２８】
　さらに、図９に示すように前記第１実施例のカバー保持台４の端部をＬ字形状に折り曲げ、前記操作部保持台同様に回転手段として脚部４１に回転ピン６３で回動自在に軸支するようにしてもよい。しかし、前記回転手段を設けたことにより、前記カバー保持台４を回転させたとき、内視鏡カバー２の口体部２０及びカバーが位置ずれしてしまう。このため、カバー保持台上面には内視鏡カバー２の口体部を所定の位置に着脱自在に固定する口体部固定具４４及びカバーを固定するカバー保持部材４４ａを設けている。このことにより、内視鏡カバー２をカバー保持台４へ設置する際、内視鏡カバーに設けた各種管路をほぼ鉛直下側に位置させて口体部固定具４４及びカバー保持部材４４ａで固定してから内視鏡カバーに設けた各種管路の位置を調整することができるので内視鏡カバーのカバー保持台への設置作業を大幅に短縮することができる。なお、本実施例においては操作部保持台側の脚部がないのでコネクタ受けを別部材で形成し、内視鏡カバー装着装置に一体的に固定している。
【００２９】
　また、図１０に示すように前記第１実施例のカバー保持台４の外側に位置する脚部４１を短くしてこの脚部にカバー保持台を設けることにより、カバー保持台の鉛直軸に対する角度が９０度以上の角度になるので、カバー保持台の全長を短くして検査室を有効に利用することができる。なお、このカバー保持台には、内視鏡カバーのカバー保持台上での位置ずれを防止する口体部固定具４４及びカバー保持部材４４ａがカバー保持台上に設けてある。
【００３０】
　図１１は本発明の第２実施例に係る内視鏡カバー装着装置の概略構成を示す図である。  
　図に示すように本実施例の内視鏡カバー装着装置１Ａではカバー保持台４をまたぐように、脚部４２にキャスター４２ａを設けて内視鏡カバー保持方向にスライド自在なスライド台４３を設置している。このスライド台４３の上面には内視鏡カバー２の口体部２１をスライド台４３に着脱自在に固定する口体部固定具４４を設けている。このため、スライド台４３をスライドさせた際、スライド台上で内視鏡カバーの口体部が動くことがない。その他の構成は前記第１実施例と同様であり、同部材には同符号を付して説明を省略する。
【００３１】
　上述のように構成した内視鏡カバー装着装置１Ａの作用を説明する。  
　まず、スライド台４３に内視鏡カバー２を載置し、内視鏡カバーに設けた各種管路を鉛直方向下側にして内視鏡カバー２の口体部２１を口体部固定具４４で固定して直線状態に設置する。
【００３２】
　次に、カバー用内視鏡３の操作部５を操作部保持台６に操作部固定具６２で固定する。そして、操作部保持台６の回転手段を用いて内視鏡カバー２の口体部２１に設けた挿入部挿入口２１ａとカバー用内視鏡３のＤ字断面形状の挿入部３１との対向位置関係を一致させると共に、挿入部３１をカバー保持台４に載置する。
【００３３】
　次いで、カバー保持台４に載置されている挿入部３１の先端を、スライド台４３に固定されている口体部２１の挿入部挿入口２１ａから挿入させた後、スライド台４３を操作部保持台側に移動させて挿入部３１を先端側まで挿入した後、口体部２１と操作部５とを一体的に嵌合固定し、内視鏡と内視鏡カバーとの装着を完了する。
【００３４】
　このように、内視鏡カバーの口体部をスライド台に設置し、このスライド台を移動させて内視鏡カバーをカバー用内視鏡に装着することによって、内視鏡カバーをカバー保持台上で移動させること無く、スムーズに内視鏡カバーとカバー用内視鏡とを装着することができる。また、カバー用内視鏡の挿入部を床方向に垂らすこと無く、カバー保持台上に載置しておくことができるので衛生性が向上する。その他の作用及び効果は前記第１実施例と同様である。
【００３５】
　また、図１２に示すように内視鏡カバー２の口体部２１を着脱自在な口体部保持部材４５で保持し、この口体部保持部材４５をモーター４６で移動させて内視鏡カバー２とカバー用内視鏡３とを装着する自動装着装置１Ａ1 としてもよい。
【００３６】
　この自動装着装置１Ａ1 の自動装着機構は、口体部保持部材４５，モータ４６，移動シャフト４７，ガイド板４８及びガイドシャフト４９とを備えている。前記移動シャフト４７の外周には雄ねじ４７ａが形成されており、一端はモータ４６のシャフトに固定され、他端はガイド板４８のシャフト受け４８ａに回動自在に保持されている。前記口体部保持部材４５には移動シャフト４７の雄ねじ４７ａが噛合する雌ねじを螺設したスライド孔４５ａとガイドシャフト４９が挿通するカイド孔４５ｂとが形成してある。
【００３７】
　前記自動装着装置１Ａ1 の作用を説明する。  
　図１２（ａ）に示すように内視鏡カバー装着初期状態では内視鏡カバー２の口体部２１を保持する口体部保持部材４５がカバー保持台４の中央より後方側に位置するため内視鏡カバーのカバー部はカバー保持台４の端部から垂れ下がった状態になっている。このとき、カバー部の先端が床に触れないようになっている。
【００３８】
　内視鏡カバーの口体部に設けた挿入部挿入口とＤ字断面形状の挿入部との対向位置関係を一致させた後、自動装着装置１Ａ1 のモーター４６を回転させる。すると、移動シャフト４７が回転して図１２（ｂ）に示すように、この移動シャフト４７に形成した雄ねじ４７ａと口体部保持部材４５に形成した雌ねじを螺設してあるスライド孔４５ａとが螺合して口体部保持部材４５を操作部側に移動させる。そして、口体部２１と操作部５とを嵌合させたときモーター４６の回転が止まって内視鏡カバー２とカバー用内視鏡３との装着が完了する。
【００３９】
　なお、移動シャフト及びモーターを設けることなく、ガイドシャフト及び口体部保持部材とを設けた内視鏡カバー装着装置としてもよい。このことにより、モータによる駆動では得ることのできない微調整を行いながら装着作業を行うことができる。
【００４０】
　図１３及び図１４は本発明の第３実施例に係り、図１３は内視鏡カバー装着装置の概略構成を示す説明図、図１４は内視鏡カバー装着装置の作用を説明する図である。
【００４１】
　図１３に示すように本実施例の内視鏡カバー装着装置１Ｂは、観察光学系を配した挿入部及び内視鏡の把持部を兼ねた操作部を有する内視鏡を鉛直状態に保持する操作部保持台と、 管路を配設し内視鏡の挿入部を覆う挿入部カバー及びこの挿入部カバーの手元側に位置する挿入部挿入口を有する内視鏡カバーを鉛直軸に対して９０度から１８０度まで傾斜角を変化させて保持することが可能なカバー保持台とで構成されている。
【００４２】
　前記操作部保持台６は、操作部保持板７１とスコープハンガー７５で形成され、カバー用内視鏡３は、スコープハンガー７５のアーム部７６の先端部に設けられている操作部保持板７１の固定具６２に操作部５を固定して鉛直状態に保持されている。
【００４３】
　一方、内視鏡カバー２は、カバー保持台と一体的になる折りたたみ自在な支柱７７とキャスター付脚部７８とを備えたスタンド式カバー保持台７９に、内視鏡カバー２の口体部２１及び先端カバー２５を固定具２６によって固定されている。
【００４４】
　なお、操作部保持板７１は、挿入部３１の軸方向に対して回動自在であると共に、図に示す矢印Ａ，Ｂ方向に対しても回動自在に軸支されている。このため、前記操作部保持板７１を軸方向に対して回動させることによって、内視鏡カバー２が配置されているスタンド式カバー保持台７９の位置に合わせて操作部保持板７１の位置を対応させて移動することができる。また、操作部保持板７１に保持されている操作部５から延出するユニバーサルコード５１のコネクタ５２をトロリー７０に載置されている光源装置７２に接続している。さらに、前記スコープハンガー７５は、光源装置７２，ビデオコントロールユニット７３、モニター７４などを載置したトロリー７０に一体的に設けてある。その他の構成は上述の実施例と同様であり、同部材には同符号を付して説明を省略する。
【００４５】
　上述のように構成した内視鏡カバー装着装置１Ｂの作用を説明する。  
　まず、内視鏡カバー２を、この内視鏡カバー２に設けらる図示しない各種管路は鉛直方向下側に位置させてスタンド式カバー保持台７９に配置し、操作部保持板７２にカバー用内視鏡３の操作部５を固定具６２によって固定して内視鏡を鉛直状態に保持する。なお、内視鏡カバーの挿入部挿入口に対してカバー用内視鏡のＤ字断面形状の挿入部が一致するように回転手段を用いて対向させてある。
【００４６】
　次いで、図１３に示すように鉛直方向に垂れ下がっている挿入部３１の先端部を内視鏡カバー２の口体部２１の挿入部挿入口から挿入する。
【００４７】
　この状態で、図１４（ａ）に示すようにスタンド式カバー保持台７９の内視鏡カバー２の口体部２１を固定している支柱７７側を把持して内視鏡カバーを保持しているスタンド式カバー保持台を鉛直軸に対して９０度の位置から１８０度の位置まで徐々に移動させて、前記挿入部３１を内視鏡カバー２の中に押し込んでいく。なお、前記支柱７７は、作業開始時点でカバー保持台側に折りたたまれている。
【００４８】
　そして、図１４（ｂ）に示すようにスタンド式カバー保持台７９が直立した時点で口体部２１と操作部５とを一体的に嵌合固定し、内視鏡カバー２のカバー用内視鏡３への装着が完了する。この状態で、口体部２１と先端カバー２５とを固定している固定具２６を取り外して内視鏡カバー２からスタンド式カバー保持台７９を取り外す。
【００４９】
　このように、カバー用内視鏡の操作部をトロリーに設けたスコープハンガーの操作部保持板に固定することによって、内視鏡カバーのカバー用内視鏡への装着が完了した時点で直ちにカバー式内視鏡が使用可能状態となる。その他の作用及び効果は上述の実施例と同様である。
【００５０】
　図１５は本発明の第４実施例に係る内視鏡カバー装着装置の概略構成を示す図である。  
　図に示すように本実施例の内視鏡カバー装着装置１Ｃでは、トロリー７０に設けたスコープハンガー７５のアーム７６がアーム回転軸７６ａを中心に図の矢印に示すように回動自在である。また、内視鏡カバー２を配置するカバー保持部がカバー保持台回転軸８０を中心に回動自在な回転型カバー保持台８１である。このカバー保持部回転軸８０は、ラチェット構造であり、一度口体部側を上方に回転移動させると、解除ボタン（不図示）を押さない限り、元の位置に戻らない構造になっている。なお、スコープハンガー７５のアーム７６は、アーム回転軸７６ａが前記カバー保持部回転軸８０と同様にラチェット構造であるので、通常状態ではアーム７６が下方にだけ回転移動する構造になっている。その他の構成は前記第３実施例と同様であり、同部材には同符号を付して説明を省略する。
【００５１】
　上述のように構成されている内視鏡カバー装着装置１Ｃの作用を説明する。  
　まず、カバー用内視鏡３の挿入部３１を内視鏡カバー２の口体部２１に挿入する。次に、回転型カバー保持台８１を鉛直軸に対して９０度の位置から角度が徐々に大きくなるように回転させて上方に持ち上げていく。次いで、アーム７６を徐々に下方に回転移動させ、カバー用内視鏡３の挿入部３１及び内視鏡カバー２とが一直線状になる位置まで移動させてカバー用内視鏡３を内視鏡カバー２に装着していく。そして、カバー用内視鏡３の操作部５，挿入部３１及び内視鏡カバー２が斜めにストレート状態に保持されたとき装着作業が完了する。
【００５２】
　このように、内視鏡カバーを配置する回転型カバー保持台がカバー保持台回転軸を介して回動自在で、且つ、スコープハンガーのアームをアーム回転軸を中心に回動する構成としたことにより、操作部と口体部との接続部の位置を低くすることができるので、身長の低い人でも、胸元で作業を行うことができる。その他の作用及び効果は上述の実施例と同様である。
【００５３】
　なお、前記操作部５を固定する固定具６２を図１５（ｂ）に示すようなコ字状固定具６２ａとして、この固定具６２ａに設けたねじ部６２ｂにナット６４を螺合してアーム７６に回動自在に遊嵌固定することによって操作部保持板７１が不用となる。また、図１５（ｃ）に示すように固定具のコ字状部の幅を操作部の幅より広く形成してエラストマー材からなる折れ止め部を保持するようにすることによって遊嵌させることなく操作部を回転可能にすることができる。
【００５４】
　図１６及び図１７は第５実施例に係り、図１６は内視鏡カバー装着装置の概略構成を示す図、図１７は内視鏡カバー装着装置を用いて内視鏡カバーにカバー用内視鏡を装着した状態を示す図である。
【００５５】
　図１６に示すようにスコープハンガー７５のアーム７６を図中の矢印に示すように上下方向に移動可能としている。一方、内視鏡カバー２は高さをやや高めに設定したカバー保持台８２に配置されている。このカバー保持台８２には、内視鏡カバー２の先端カバー２５を固定する先端カバー固定部８３が複数設けられており、機種による挿入部長の違いに対応することができると共に、内視鏡カバー２にオーバーチューブ８４が被っていてもこのオーバーチューブ８４を取り付けたまま内視鏡カバー装着装置に配置することができるようになっている。
【００５６】
　なお、スコープハンガー７５にはカバー用内視鏡３から延出するユニバーサルコート５１の先端部に設けられているコネクタ５２を保持するコネクタ保持部８５が設けてある。その他の構成は上述の実施例と同様であり、同部材には同符号を付して説明を省略する。
【００５７】
　上述のように内視鏡カバー装着装置を構成したことにより、カバー用内視鏡３の挿入部３１を内視鏡カバー２の口体部２１に挿入してからアーム７６を徐々に下方向に下げていくことによって、挿入部３１が口体部２１からカバー内に挿入していく。そして、支持アーム７６が内視鏡カバー２と略同じ高さになったとき、図１７に示されるように操作部保持板７１に固定されている操作部５が内視鏡カバー側に回転させて装着を完了する。このことにより、上述の実施例と同様の作用及び効果を得ることができる。
【００５８】
　また、図１８に示すようにコネクタ保持部８６をカバー保持台８７に設け、このカバー保持台８７を傾斜させることによって、内視鏡カバー２にカバー用内視鏡３の挿入部３１をスムーズに挿入していくようにしてもよい。
【００５９】
　なお、上述のようにアーム７６上下方向に移動させるスコープハンガー７５としては、図１９に示すような構成のスコープハンガー１３０であってもよい。図に示すように本実施例のスコープハンガー１３０は、ラック１３１ａを設けた支柱１３１と、この支柱１３１を上下に移動可能に配設されるスライダ１３２と、前記支柱１３１に形成したラック１３１ａに噛合する前記スライダ１３２から突出するアーム１３２ａに設けたピニオン１３３と、このピニオン１３３に噛合するカバー用内視鏡３の操作部５を保持する操作部保持部材１３４ａを設けた歯車１３４とで構成されている。
【００６０】
　上述のように構成したスコープハンガー１３０は、歯車１３４の操作部保持部材１３４ａに保持されている操作部５を図に示すように矢印Ａ方向（水平方向）に回転させると、歯車１３４とピニオン１３３とラック１３１ａとが噛合してスライダ１３２が支柱１３１を下方に移動する。また、操作部５を図に示すように矢印Ｂ方向（垂直方向）に回転させると歯車１３４とピニオン１３３とラック１３１ａとが噛合してスライダ１３２が支柱１３１を上方に移動する。なお、カバー用内視鏡３の操作部５が鉛直状態になっているとき、スライダ１３２は支柱１３１の最上部の挿入部３１が床から最も遠ざかる位置になる。
【００６１】
　このように、内視鏡カバーをカバー用内視鏡に装着する際に使用する内視鏡カバー装着装置のラックハンガーの操作部保持部材に保持されているカバー用内視鏡の操作部を水平方向（矢印Ａ方向）に傾けるだけで、保持されている操作部を支柱の下側の位置に移動させることができるので、挿入部を内視鏡カバー内へスムーズに挿入することができるばかりでなく、操作部と内視鏡カバーの口体部との取り付け作業を容易に行うことができる。
【００６２】
　また、内視鏡カバー装着後、内視鏡カバーで覆われたカバー用内視鏡を鉛直状態に戻していくことにより、スライダが支柱の高い位置に移動するので挿入部を床に接触させることなく保持しておくことができる。
【００６３】
　図２０は本発明の第６実施例に係る内視鏡カバー装着装置の概略構成を示す図である。  
　図に示すように本実施例の内視鏡カバー装着装置１Ｅは、油圧シリンダで上下動する支柱１４１を備えた操作部保持台１４０と、内視鏡カバー梱包材を兼ねるカバー保持台１４２とで構成されている。
【００６４】
　前記操作部保持台１４０は、支柱１４１の上端に設けらている支持アーム１４１ａの先端部に回転自在に設けた操作部保持部材１４１ｂにカバー用内視鏡３の操作部５が保持されている。前記操作部保持部材１４１ｂに保持されている操作部５は操作部保持台１４０に設けた油圧シリンダ１４３で上下動するようになっている。なお、この内視鏡カバー装着装置１の油圧シリンダ１４３を備えた操作部保持台１４０は光源装置やビデオコントロールユニットが載置されるカート１４４に一体的に取り付けられている。また、前記操作部保持台１４０の油圧シリンダ１４３には前記支柱１４１を上下に移動させるときに使用する圧縮ペダル１４３ａと圧縮解除ペダル１４３ｂとが設けられている。さらに、カバー保持台１４２は、内視鏡カバー２を梱包している梱包材である。また、前記支持アーム１４１ａはある程度の長さを有し、操作部保持部材１４１ｂに保持されて鉛直状態に垂れ下がった挿入部３１が少々動いても、この挿入部３１がカート１４４に当たらない距離を確保している。
【００６５】
　上述のように構成した内視鏡カバー装着装置１Ｅは、油圧シリンダ１４３に設けられている圧縮ペダル１４３ａを数回踏み込むことによって支柱１４１が低位置から高位置に上昇する。また、油圧シリンダ１４３に設けられている圧縮解除ペダル１４３ｂを数回踏み込むことで、支柱１４１は高位置から低位置に下降する。
【００６６】
　すなわち、図中の破線に示す操作部保持部材１４１ｂを高い位置にした状態で、内視鏡カバー２とカバー用内視鏡３との装着を開始し、前記圧縮解除ペダル１４３ｂを繰り返し踏み込みながら支柱１４１を下げて内視鏡カバー内に挿入部３１を徐々に挿入していく。このとき、内視鏡カバー２が梱包されているカバー保持台４を兼ねる梱包材を傾けておく。そして、操作部保持部材１４１ｂが低位置に到達して、挿入部３１の内視鏡カバー２への挿入が完了し、操作部５と口体部２０との接続を行う。ここで、圧縮ペダル１４３ａを数回踏み込んで再度操作部５を高い位置に戻して、内視鏡カバー２を梱包材であるカバー保持台４から取り外して装着作業を終了する。
【００６７】
　このように、油圧シリンダを用いた内視鏡カバー装着装置を用いることにより、内視鏡カバーとカバー用内視鏡の装着作業の際、足の操作だけで両手を開けた状態で操作部保持台の昇降を行うことができるので、カバー用内視鏡と内視鏡カバーとの装着を容易に行え作業性が向上する。また、カバー保持台が内視鏡カバーの梱包材であるので装着作業を行うまでの管理が容易となる。
【００６８】
　なお、上述のアーム部材７６や支持アーム１４１ａは、鉛直状態に垂れ下がった挿入部が少々動いたときにカートやトロリーに触れて汚染されることがないようにある程度の距離を確保していた。このため、前記アーム部材７６や支持アーム１４１ａは、常にカートやトロリーから突出しているので、狭い場所での保管や移動の際に不都合が生じることがあった。
【００６９】
　そこで、図２１に示すように支持アーム１４１ａを複数のリンク部材１４５を連結して側方に伸縮自在に形成している。このため、操作部保持部材１４１ｂにカバー用内視鏡３の操作部５が保持されているときには図２１（ｂ）に示すようにリンク部材１４５を引き伸ばすことによってカート１４４などからカバー用内視鏡３の挿入部３１を十分に引き離すことができる。また、操作部保持部材１４１ｂに保持されているものがないときには、リンク部材１４５を縮めてカート１４４の近くに収縮することができるので、狭い場所での保管や移動が容易になる。前記支持アーム１４１ａは、リンク部材１４５で構成するものに限定されるものではなく、図２２に示すように複数の径の異なるスリーブ１４６、１４６．．．を組み合わせ連結して伸縮自在な支持アーム１４１ａを構成することもできる。
【００７０】
　図２３ないし図２５は本発明の第７実施例に係り、図２３は操作部保持台の概略構成を示す側面図、図２４は内視鏡カバーにカバー用内視鏡の挿入部を挿入している状態を示す側面図、図２５は図２４の正面図である。
【００７１】
　図に示すように本実施例の内視鏡カバー装着装置１Ｆの操作部保持台１５０を形成する支柱１５１をカート１４４に一体的に固定している。この支柱１５１の上端には滑車１５２が設けられ、この滑車１５２にワイヤ１５３が掛けられている。
【００７２】
　前記ワイヤ１５３の一端部には、支柱１５１のカート側に設けたレール上を上下に移動する内側スライダ１５４に接続され、前記ワイヤ１５３の他端部は支柱１５１のカート１４４とは反対側に設けられたレール上を上下に移動する外側スライダ１５５に接続されている。前記外側スライダ１５５には支持アーム１５６が設けられており、この支持アーム１５６にはハンガー支持パイプ１５７が設けられている。そして、前記ハンガー支持パイプ１５７に操作部５を保持する第２ハンガー１５８と口体部２０を保持する第１ハンガー１５９とが設けられている。
【００７３】
　前記内側スライダ１５４と外側スライダ１５５の下端にはそれぞれフック１６０が設けられている。また、支柱１５１のレールの途中にはカート側及び反カート側にそれぞれストッパ１６１が設けらている。このストッパ１６１は各スライダを最下点で停止させるためのものであり、内側スライダ１５４が最下点に到達してストッパ１６１に当接したときフック１６０に内側スライダ１５４を保持する内止め具１６２が引っ掛かるようになっている。この内止め具１６２には支柱側に付勢力が働くバネが内蔵されており、内側スライダ１５４が上から下に向かって移動してフック１６０と内止め具１６２とが当接すると、フック１６０の傾斜に沿って内止め具１６２が移動し、内側スライダ１５４がストッパ１６１に突き当たる直前にバネ力で内止め具１６２がフック１６０に引っ掛かって固定される構成となっている。また、外側スライダ１５５も同様にストッパ１６１に当接したときフック１６０に引っ掛かる外止め具１６３で固定される構成となっている。前記外止め具１６３の構成及びフック１６０やストッパ１６１との関係は前記内止め具１６２の構成及びフック１６０やストッパ１６１との関係と同様であるので説明を省略する。
【００７４】
　なお、前記第１ハンガー１５９または第２ハンガー１５８のいずれかにカバー用内視鏡３が保持されたとき、内側スライダ１５４の方が、外側スライダ１５５よりわずかに重くなるような重量配分とするために、内側スライダ１５４には重り１５４ａが配設してある。このため、外側スライダ１５５に対して、極少量の負荷を下方にかけることにより、外側スライダ１５５と内側スライダ１５４との釣り合いがとられるようになっている。すなわち、内側スライダ１５４が内止め具１６２に固定されていない状態及び外側スライダ１５５が外止め具１６３に固定されていない状態では、第１ハンガー１５９または第２ハンガー１５８にカバー用内視鏡３が保持された状態で静かに上昇するが、挿入部３１を持って下方に軽く引くだけで第１ハンガー１５９、第２ハンガー１５８が下方に移動する。
【００７５】
　また、前記ワイヤ１５３は、外側スライダ１５５が最も下がった位置のとき、内側スライダ１５４が最も高位置になり、逆に、内側スライダ１５４が最も下がった位置のときに外側スライダ１５５が最も高位置になるように長さが設定されている。
【００７６】
　さらに、前記内止め具１６２には内ワイヤ１６２ａが接続されており、この内ワイヤ１６２ａにはＨペダル１６４が接続されている。また、外止め具１６３には外ワイヤ１６３ａが接続されており、この外ワイヤ１６３ａにはＬペダル１６５が接続されている。すなわち、前記Ｈペダル１６４を踏み込むことによって内ワイヤ１６２ａを介して内止め具１６２が反支柱側に引っ張られ、バネ力に抗して内止め具１６２が移動することによってフック１６０と内止め具１６２との固定が解除されるようになっている。同様に、前記Ｌペダル１６５を踏み込むことによって、外ワイヤ１６３ａを介して外止め具１６３が反支柱側に引っ張られ、バネ力に抗して外止め具１６３が移動することによってフック１６０と外止め具１６３との固定が解除されるようになっている。
【００７７】
　一方、本実施例のカバー保持台１７０は、内視鏡カバー２を鉛直軸に対して９０度以上の角度で保持するものであり、この内視鏡カバー２の口体部２０にはカバー用内視鏡のユニバーサルコード５１及び操作部５を被覆するためのユニバーサルコードカバー１７１が設けられている。
【００７８】
　このカバー保持台１７０は、内視鏡カバー２の口体部２０を保持する口体部保持部１７２と、挿入部３１を被覆するカバーを保持する挿入部カバー保持部１７３とを有し、この挿入部カバー保持部１７３の先端にはカバー保持台１７０を保管する際、このカバー保持台１７０を垂直に設置することができるようにキャスター１７４ａを付けた短脚１７４が設けられている。また、前記口体部保持部１７２の下部には、長脚１７５が設けられている。なお、カバー保持台１７０の長脚１７５の下端にはカバー保持台１７０が側方に倒れないように支持するパイプ材１７６がこの長脚１７５に対して垂直に設けられている。
【００７９】
　上述のように構成した内視鏡カバー装着装置１Ｆの作用を説明する。  
　図２３に示すようにカバー用内視鏡３と内視鏡カバー２とを装着する前の準備、保管状態では第１ハンガー１５９、第２ハンガー１５８を設けたハンガー支持パイプ１５７が最も高い所に位置してカバー用内視鏡３の挿入部３１の先端が床に触れないようになっている。
【００８０】
　カバー用内視鏡３に内視鏡カバー２を装着する際、まず、図２３に示したように鉛直状態に垂れ下がっているカバー用内視鏡３のイメージファイバーや固体撮像素子などの観察光学系を有する挿入部３１の先端部分を口体部２０から挿入していく。
【００８１】
　次に、Ｈペダル１６４を踏んで内側スライダ１５４の固定を解除し、図２４及び図２５に示すように挿入部３１を下方に引いて、外側スライダ１５５を低位置になったとき挿入部３１が内視鏡カバー内へ挿入され、口体部と操作部とを嵌合する。このとき、第１ハンガー１５９、第２ハンガー１５８を設けたハンガー支持パイプ１５７が低位置になる。
【００８２】
　このように、カバー用内視鏡をわずかな力で下方に移動させることができると共に、カバー用内視鏡から手を離せば第１ハンガー１５９あるいは第２ハンガー１５８のどちらかにカバー用内視鏡が保持されていてもハンガー支持パイプ１５７が上方に移動するので内視鏡カバーの装着性が向上する。その他の作用及び効果は上述の実施例と同様である。
【００８３】
　なお、前記ハンガー支持パイプ１５７では第１ハンガー１５９と第２ハンガー１５８とで保持部が異なるので床面に対する挿入部先端の位置が変わってしまう。そこで、図２６に示すように前記ハンガー支持パイプ１５７を変形支持パイプ１５７ａにしている。
【００８４】
　前記変形支持パイプ１５７ａは、操作部５を保持する第２ハンガー１５８の高さと口体部２０を保持する第１ハンガー１５９の高さとを図に示すようにずらしたものである。このことによって、第１ハンガー１５９に保持されているカバー用内視鏡３の操作部５の位置と、第２ハンガー１５８に保持されている操作部５の位置とが同じ高さになる。すなわち、内視鏡カバー２を被覆したカバー用内視鏡３を第１ハンガー１５９に保持させた場合でも、カバー用内視鏡３を第２ハンガー１５８に保持させた場合でも、床から内視鏡カバー先端までの距離と床から挿入部先端までの距離とが常に同じになる。
【００８５】
　また、前記第７実施例のカバー保持台１７０の挿入部カバー保持部１７３を図２７に示すように構成している。図に示すように挿入部カバー保持部１７３の先端側を扇状に広げて挿入部先端保持部１７６を形成している。そして、この挿入部先端保持部１７６には挿入方向に平行な２本の枠線１７７が引かれている。この２本の枠線１７７の間隔は、内視鏡カバー２のカバー外径よりもやや幅広となっている。なお、前記挿入部カバー保持部１７３は、内視鏡カバー２の外径より幅広な断面形状が凹状のガイド部となっている。また、前記挿入部先端保持部１７６の最先端部分には内視鏡カバー２がカバー用内視鏡３の挿入によって先端方向に伸びたとき当接する突き当て部１７８が設けてある。
【００８６】
　このことにより、図２７に示すように内視鏡カバー２に無理な力がかかることなく挿入部３１が挿通されて、口体部２０と操作部５とが適切な位置で固定された装着状態では内視鏡カバー２がストレート状態になって枠線内に収まる。
【００８７】
　しかし、内視鏡カバー２に挿入部３１を挿入して口体部２０を操作部５に装着する際、操作部５に対して口体部２０を引き上げすぎてしまうと、図２８（ａ）に示すようにカバー用内視鏡３の挿入部３１によって、内視鏡カバー２を形成するシース１７９が引き伸ばされる。このとき、内視鏡カバー２に配設されている管路２２がシース１７９と共に、引き伸ばされ難いため、内視鏡カバー２が管路側に湾曲して枠線１７７からはみ出る。
【００８８】
　逆に、内視鏡カバー２に挿入部３１を挿入して口体部２０を操作部５に装着する際、操作部５に対して口体部２０を引き戻しすぎてしまうと、一旦先端まで挿入された挿入部３１が引き戻される。このとき、シース１７９は自然長より縮められた状態になるが、管路２２がシース同様に縮小し難いため、内視鏡カバー２は管路側とは反対側に湾曲して枠線１７７からはみ出る。
【００８９】
　このように、内視鏡カバーとカバー用内視鏡とを装着する際、内視鏡カバーが枠線からはみ出すか否かを確認しておくことによって、シースに無理な力がかかることなく、口体部と操作部とを適切な位置で固定できたことを確認することができる。
【００９０】
　なお、図２９（ａ）及び図２９（ｂ）に示すように複数の長穴１８１を設けた可変ガイド部材１８２を用意し、この可変ガイド部材１８２を固定ビス１８３を介して挿入部カバー保持部１７３に固定する構成にすることによって外径の異なる内視鏡カバー２に対して、１種類のカバー保持台で対応することができるので、複数の機種の内視鏡を持っているユーザーの金銭的な負担を軽減することができる。図２９（ａ）は可変ガイド部材間の間隔を最も縮めた状態を示し、図２９（ｂ）は可変ガイド部材間の間隔を最も広げた状態を示している。
【００９１】
　図３０は前記第７実施例の第１ハンガー１５９の別の構成を説明する図である。  
　図に示すように第１ハンガー１５９には、口体部２０に設けたフランジ２０ｃの荷重を受ける段部１９１と、前記口体部２０の鉗子口開口部２０ｄを逃がすための切り欠き部１９２とを形成している。このため、鉗子口開口部２０ｄを切り欠き部１９２に配置させることにより、第１ハンガー１５９に保持された口体部２０は挿入部方向に対して垂直断面方向に回転しなくなる。
【００９２】
　また、前記第１ハンガー１５９は、ハンガー支持パイプ１５７に設けた軸１９３に対して回転自在である。しかし、矢印方向の回転を規制するため、ハンガー支持パイプ１５７に回転規制部材１９４を設けて、この回転規制部材１９４の一部に第１ハンガー１５９の肩口が突き当たるようにしている。
【００９３】
　さらに、前記口体部２０の下端にはオーバーチューブ２００が接続されるようになっており、この接続部が第１ハンガー１５９の下端に位置するように取り付けられるようになっている。
【００９４】
　なお、内視鏡カバー２の装着時、第１ハンガー１５９はカバー保持台１７０の向きに一致して軸１９３を中心に、反回転規制部材側に回転するのでカバー用内視鏡３への内視鏡カバー２への装着性が損なわれることはない。また、図３０（ａ）に示すように単純にカバー用内視鏡３が第１ハンガー１５９に保持されている状態のとき、カバー用内視鏡３はユニバーサルコード５１の重みで、ユニバーサルコード側に引っ張られるので、回転規制部材１９４に当接してカバー用内視鏡３は鉛直状態に保持される。よって、内視鏡カバー装着時以外は、カバー用内視鏡が常に第１ハンガーに鉛直状態で保持されるので落下が防止される。
【００９５】
　また、図３１に示すようにカバー用内視鏡の操作部５を保持する前記第１のハンガー１５８を含むハンガー部１９５を、操作部５に設けた嵌合溝１９６に嵌合させて保持する構造にすることにより、内視鏡カバー２を、カバー用内視鏡３に装着する際、カバー用内視鏡３が上方に移動して外れることを防止することができる。
【００９６】
　図３２はカバー保持台１７０の口体部保持部１７２の変形例である。本実施例においては口体部保持部１７２の外径寸法Ｍを、第１ハンガー１５９の内径寸法Ｋより小さくしている。このことにより、カバー保持台１７０を把持したまま、口体部２０を第１ハンガー１５９に掛けることができるので作業者が口体部２０や操作部５などに触れる回数を減らして衛生性を確保し易くなる。
【００９７】
　ここで、図３３ないし図３８を参照して内視鏡カバー装着装置１Ｆを用いて１日の使用状況の概略を各作業手順毎に説明する。
【００９８】
　１．検査前作業手順を説明する。  
　まず、カバー装着装置１Ｆの第１ハンガー１５９及び第２ハンガー１５８をアルコールを含ませた清潔なガーゼまたは脱脂綿で消毒する。そして、図３３（ａ）に示すように、第２ハンガー１５８に洗浄消毒済のカバー用内視鏡３を掛け、カバー用内視鏡３の操作部５から延出しているユニバーサルコード５１の先端部に設けられている光源コネクタ２０１を光源装置２０２に、接続する。このとき、内視鏡の挿入部３１が床に触れないように注意する。続いて、図３３（ｂ）に示すように内視鏡３の挿入部３１が床に触れないように注意して、ハンガー支持パイプ１５７を支柱１５１の上方に持ち上げる。
【００９９】
　次に、ビデオシステムセンタ２０３に電気系ケーブル２０４をコネクタを介して接続する。続いて、送気、送水、吸引ユニット２０５に図示しない送気、送水、吸引チューブ（以下ＡＷＳチューブとする）を接続する。このとき、余分なＡＷＳチューブをカート１４４に設けたフックにループさせて掛けて床に触れないようにしておく。
【０１００】
　次いで、図３３（ｃ）に示すようにカバー保持台１７０の口体部保持部１７２、挿入部カバー保持部１７３をアルコールを含ませた清潔なガーゼまたは脱脂綿などで消毒して後述する図３６（ａ）に示すトレイ２１３をカート１４４の棚に用意しておく。
【０１０１】
　２．カバー着脱手順を説明する。  
　まず、カバー装着の際作業者は、カバー用内視鏡と内視鏡カバーとの装着作業を行うため、新しい手袋をはめる。そして、前記図３３（ｃ）に示した消毒済みのカバー保持台１７０に内視鏡カバー２をセットすると共に、前記トレイ２１３に袋を被せカート１４４の空いている棚に置いておく。
【０１０２】
　次に、図３４（ａ）に示すように高位置にある第２ハンガー１５８に掛けられているカバー用内視鏡３の挿入部３１の表面に潤滑粉２１０を塗布する。そして、図３４（ｂ）に示すように、第２ハンガー１５８に掛けられているカバー用内視鏡３の挿入部３１の先端部分を内視鏡カバー２の口体部２０に形成してある挿入部挿入口から挿入していく。
【０１０３】
　次いで、前記カバー用内視鏡の挿入部３１が、内視鏡カバー内にある程度挿入されたところで、Ｈペダルを踏んでカバー用内視鏡３を高位置にしている固定状態を解除し、挿入部３１を下方に引っ張って、図３４（ｃ）に示すようにハンガー支持パイプ１５７を支柱１５１の低位置に固定する。
【０１０４】
　ここで、図３４（ｄ）に示すように口体部保持部１７２を把持して残りの挿入部３１を挿入した後、口体部２０と操作部５とを嵌合する。このとき、カバー用内視鏡３の先端硬質部が、内視鏡カバー２の先端カバーに嵌入していないときには、先端硬質部と先端カバーとを手作業で嵌入する。なお、前記図２７に示したように内視鏡カバー２が枠線１７７からはみ出ることがないように口体部２０と操作部５とを適切な位置で合わせる。
【０１０５】
　次いで、第１ハンガー１５９に、この第１ハンガー１５９より若干大きいハンガーカバーを被覆した後、図３４（ｅ）に示すように、カバー保持台１７０の口体部保持部１７２を口体部２０から外す。このとき、カバー用内視鏡３の挿入部３１は、カバー保持台１７０に載せたままの状態で口体部保持部１７２を下方に降ろしていく。図３４（ｆ）に示すようにカバー保持台１７０に内視鏡カバー２の被さっているカバー用内視鏡３の挿入部３１を載せた状態でカバー用内視鏡３を第２ハンガー１５８から第１ハンガー１５９に掛け換える。そして、１日の検査開始時のみだけ、送気、送水、吸引ユニット２０５に接続されているＡＷＳチューブをユニバーサルコード５１に取り付け、口体部２０から延出する送気チューブ、送水チューブ、吸引チューブを接続して図３４（ｇ）に示すように、操作部５及びユニバーサルコード５１にユニバーサルコードカバー１７１を被せる。
【０１０６】
　この状態で、送気、送水、吸引を制御するスイッチユニット（図示しない）を、ユニバーサルコードカバー１７１の上から取り付け、これらコードを送気、送水、吸引ユニット２０５に接続する。そして、図３４（ｈ）に示すようにカバー保持台１７０に内視鏡カバー２の被さっているカバー用内視鏡３の挿入部３１を載せたままＬペダル１６５を踏んで低位置での固定を解除し、第１ハンガー１５９、第２ハンガー１５８を設けたハンガー支持パイプ１５７を再び上方に持ち上げ高位置に固定すると共に、図３４（ｉ）に示すようにカバー保持台１７０を直立状態に設置して邪魔にならない位置に移動保管しておく。
【０１０７】
　３．使用前気密チェック手順を説明する。  
　前記図３４（ｉ）に示した状態でコネクタの気密チェック口金に加圧チューブが接続されていることを確認して加圧を開始する。
【０１０８】
　次に、内視鏡カバー内への加圧管路のバルブを閉じて内視鏡カバー内を高圧状態のまま一定時間放置する。このとき、高圧視認手段として加圧管路上に配した圧力計の数値変化により内視鏡カバー２内の気密状態を確認する。
【０１０９】
　次いで、バルブを操作して内視鏡カバー内の圧力を除圧する。なお、内視鏡カバーに穴が開いていて気密に不具合があったときは、内視鏡カバーを外して別の内視鏡カバーをカバー装着手順にしたがって被せた後、再度内視鏡カバー２に穴が開いていないかを使用前気密チェック手順通りにおこなう。
【０１１０】
　４．検査前作業手順を説明する。  
　まず、図３４（ｉ）に示した状態から、Ｈペダル１６４を踏んで、第１ハンガー１５９、第２ハンガー１５８を備えるハンガー支持パイプ１５７の高位置での固定を解除する。
【０１１１】
　次に、図３５に示すように、内視鏡カバー２が装着されているカバー用内視鏡３の挿入部３１が床につかないように挿入部３１を持って、第１ハンガー１５９、第２ハンガー１５８を備えるハンガー支持パイプ１５７が低位置で固定されるまで引っ張り、その状態で第１ハンガー１５９から操作部５を取り外して検査を行う。
【０１１２】
　５．検査終了後作業手順を説明する。  
　まず、図３６（ａ）に示すようにトレイ２１３を第１ハンガー１５９の真下に置いて挿入部３１をトレイ２１３の中でループさせ、内視鏡カバー２を装着した状態のカバー用内視鏡３を、第１ハンガー１５９に保持する。このとき、口体部２０を第１ハンガー１５９でホールドする。そして、この状態で送気、送水、吸引ユニット２０５からスイッチユニットのコードを外し、操作部５からスイッチユニットを取り外す。
【０１１３】
　次に、図３６（ｂ）に示すようにユニバーサルコードカバー１７１をコネクタからずらしていき口体部２０付近に束ねておく。
【０１１４】
　次いで、ＡＷＳチューブを、送気チューブ、送水チューブ、吸引チューブから取り外す。そして、図３６（ｃ）に示すように第１ハンガー１５９から口体部２０を取り外して、第２ハンガー１５８に操作部５を掛ける。なお、前記図３６（ｂ）及び図３６（ｃ）に示すように第１ハンガー１５９から第２ハンガー１５８にカバー用内視鏡３を掛け換える際、トレイ２１３を第１ハンガー１５９の真下の位置から第２ハンガー１５８の真下の位置に移動させる。
【０１１５】
　次に、第１ハンガー１５９から使用済みのハンガーカバーを外してトレイ２１３の中に入れる。このとき、図３６（ｃ）に示すように、ユニバーサルコードカバー１７１をひっくり返して、挿入部３１の上にかぶせて汚物の飛び散りを防止する。
【０１１６】
　６．検査後気密チェック作業手順を説明する。  
　まず、Ｌペダル１６５を踏んで、ハンガー支持パイプ１５７の低位置での固定を解除する。すると、図３７（ａ）に示すように、ハンガー支持パイプ１５７が上方に持ち上がって高位置に固定される。
【０１１７】
　次に、図３７（ａ）の状態でコネクタの気密チェック口金に加圧チューブが接続されていることを確認して加圧を開始する。
【０１１８】
　次いで、内視鏡カバー内への加圧管路のバルブを閉じ、内視鏡カバー内を高圧状態のまま一定時間放置する。このとき、高圧視認手段として加圧管路上に配した圧力計の数値変化により内視鏡カバー内の気密状態を確認する。バルブを操作して内視鏡カバー内の圧力を除圧する。
【０１１９】
　この検査後気密チェック作業の際、内視鏡カバーに穴が開いていることが確認されたなら、カバー用内視鏡を内視鏡カバーから抜去した後、カバー用内視鏡の洗浄消毒を行う。内視鏡カバーに穴が開いていないことが確認されたときは、内視鏡カバーだけを新たな内視鏡カバーに交換して継続し検査を行う。
【０１２０】
　なお、カバー用内視鏡の先端硬質部から先端カバーを取り外して図３７（ｂ）に示すように操作部５と口体部２０との固定を解除し、裏返したユニバーサルコードカバー越しに、内視鏡カバー２を持ち、下方に引っ張るようにして取り外してトレイ２１３の中に廃棄する。このとき使用していた手袋も同じトレイ２１３の中に廃棄する。そして、このトレイ２１３に被されている袋に、内視鏡カバーおよび手袋、ハンガーカバーを包み込んで廃棄処理する。このとき、汚物などが手につかないように十分注意する。
【０１２１】
　７．１日の検査終了後作業手順を説明する。  
　まず、器材の回収、手入れ、保管を行うため、図３７（ｂ）に示すように高位置で第２ハンガー１５８に保持されているカバー用内視鏡３の挿入部３１を引っ張り、Ｈペダル１６４を踏んで、図３８（ａ）に示すように第１ハンガー１５９、第２ハンガー１５８を下降させて低位置に固定して、挿入部３１を袋の被さっていないトレイ２１３の中に入れておく。
【０１２２】
　次に、ＡＷＳチューブを取り外し、カート１４４に設けたフックに掛けておく。また、コネクタに接続されている気密チェック口金からチューブ、ケーブルを取り外すと共に、コネクタ５２を光源装置２０２から取り外す。
【０１２３】
　次いで、図３８（ｂ）に示すようにカバー用内視鏡３を第２ハンガー１５８から取り外し、カバー用内視鏡３を洗浄、消毒し、所定の場所に保管する。このとき、トレイ２１３も洗浄、消毒して所定の場所に保管する。また、送気、送水、吸引ユニット２０５からＡＷＳチューブを取り外して廃棄処理する。
【０１２４】
　最後に、カバー保持台１７０の口体部保持部１７２、カバー保持部３９をアルコールを含ませた清潔なガーゼまたは脱脂綿などでを拭いてカバー保持台１７０を所定の場所に保管する。また、第１ハンガー１５９、第２ハンガー１５８もアルコールを含ませた清潔なガーゼまたは脱脂綿などで拭いておく。
【０１２５】
　ところで、従来カバー方式内視鏡では、内視鏡カバーを所定位置より操作部側に引き上げることは不可能であった。このため、口体部と操作部とが突き当たったにも関らず、内視鏡カバー先端部とカバー用内視鏡の先端部とが突き当たらず、装着性が悪く視野ケラレの原因などになっていた。このため、カバー方式内視鏡において、内視鏡カバーとカバー用内視鏡との装着性の良いものが望まれていた。
【０１２６】
　そこで、内視鏡カバー２の口体部２１とカバー用内視鏡３の操作部５との接続構造を以下のようにしている。
【０１２７】
　図３９に示すように内視鏡カバー２の口体部２１を弾性変形可能な部材で形成し、口体部２１の操作部側に突起部９０を形成する一方、操作部５より突出する凸部９１に溝部９２を設けている。そして、この突起部９０の内径を凸部９１の端部の外径より小さく、且つ、溝部９２の外径より大きく形成している。凸部９１は、軸方向に細長に形成され、この凸部９１に内視鏡カバー装着時にシース９３が伸びる長さを予め考慮し、例えば口体部２１にＨだけ移動できるように溝部９２の幅を設定しておく。
【０１２８】
　なお、突起部９０の操作部側の端面及び凸部９１の先端部側には突起部と凸部とがスムーズに着脱自在となるように面取りが施されている。
【０１２９】
　このため、口体部２１を操作部５に押しつけていくことにより、突起部９０が、操作部５の先端側に形成した凸部９１の先端部を乗り越えて、溝部９２に落とし込まれる。口体部２１の突起部９０が溝部９２に落とし込まれただけでは、シース９３が伸びているため、内視鏡カバー２の先端とカバー用内視鏡３の先端とが当接した状態となっていない。そこで、口体部２１を凸部９１の溝部９２に設けたストロークＨ分だけ、操作部側に移動させる。すると、シース９３が引き上げられて、内視鏡カバー２の先端にカバー用内視鏡３の先端が当接し、再び突起部９０が先端側に移動してシース９３を自然長にして装着を完了する。
【０１３０】
　このように、口体部を操作部の溝部に装着した状態で移動可能にしておくことにより、シースを引き伸ばすことができるので、内視鏡カバーの先端とカバー用内視鏡の先端とを確実に当接させて、視野ケラレを無くして装着することができる。
【０１３１】
　また、図４０（ａ）及び（ｂ）に示すように弾性部材で形成した口体部２１の端部に切り欠き部９４を形成し、この口体部２１を操作部５の先端側に突出する円筒部９５の任意の位置に固定する。
【０１３２】
　すなわち、口体部２１の内径は、操作部５の円筒部９５の外径より若干太径で、円筒部９５にはストロークＨが確保されている。そして、装着状態のとき、一度口体部２１をストロークＨだけ操作部側に移動させ、シース９３を引き伸ばして、内視鏡カバー２の先端とカバー用内視鏡３の先端とを当接させた後、口体部２１を円筒部９５の任意の位置に締めつけ金具９６で固定することによって同様の効果を得るようにしている。
【０１３３】
　さらに、図４１に示すように口体部２１の内径部に突部９７を形成し、操作部５にこの突部９７と嵌合する溝部９８を有し、ストロークＨを確保した溝付き円筒部９９を形成している。そして、口体部２１の突部９７を一度溝部９８を乗り越えてストロークＨだけ移動させてシースを引き伸ばして、内視鏡カバー２の先端とカバー用内視鏡３の先端とを当接させてから、口体部２１の突部９７を溝部９８の位置まで戻してクリック感を伴って突部９７と溝部９８とを嵌合させて口体部２１と操作部５との接続を確実に把握することができる。
【０１３４】
　又、図４２に示すように口体部２１をスライド体１００と固定体１０１とで構成し、固定体１０１を弾性変形可能な部材で形成し、操作部５に設けた接続部１０２に接続する。この接続部１０２にはクリック突起１０３が形成されており、このクリック突起１０３に固定体１０１の一端部に形成したクリック溝部１０４が嵌入することで、操作部５と口体部２１とが着脱自在に接続されるようになっている。一方、スライド体１００の操作部側端部には突起部１０５を有し、この突起部１０５が固定体１０１のスライド部１０６に対して軸方向へスライド自在に嵌合されている。なお、固定体１０１の他端部には、突起部１０５に突き当たる係止フランジ１０７が形成され、スライド体１００から固定体１０１が抜け落ちるのを防止している。また、スライド体は、ストロークＨだけスライドできるようにスライド部１０６の長さが設定されている。
【０１３５】
　このことから、口体部２１の固定体１００のクリック溝部１０４と操作部５に設けたクリック突起１０３とを嵌入させて、口体部２１と操作部５とを接続し、スライド体１０１をストロークＨだけ移動させてシース９３を引き伸ばして、内視鏡カバー２の先端とカバー用内視鏡３の先端とを当接させて装着を完了する。
【０１３６】
　ところで、内視鏡カバーに空気を送り込むことにより、内視鏡カバーを膨張させ、内視鏡カバーとカバー用内視鏡挿入部とのクリアランスを大きくして、装着性を向上させる技術が知られている。しかし、従来のカバー方式内視鏡では、インフレーション口金が口体部に設けられているため、内視鏡カバーとカバー用内視鏡のすべり性を向上させるために塗布されている潤滑粉やゴミなど内視鏡カバーの先端部内面に溜まってしまい、カバー用内視鏡の対物レンズや照明レンズ、あるいは内視鏡カバーの先端のレンズカバー内面に付着して視野不良の原因となっていた。このため、良好な視野を確保できるカバー方式内視鏡が望まれていた。
【０１３７】
　図４３ないし図４５に示すように挿入部３１の先端には、先端硬質部１１１が設けられ、内視鏡カバー２の先端には、先端カバー１１２が設けられ、前記先端硬質部１１１が先端カバー１１２にはめ込まれて使用される。
【０１３８】
　前記先端硬質部１１１の先端側には対物光学系レンズ１１３及び照明光学系レンズ１１４，インフレーションノズル１１５が設けられている。前記対物光学系レンズ１１３には、撮像ユニット１１６及び信号ケーブル１１７が接続され、照明光学系レンズ１１４には、照明用光ファイバー１１８が臨まれ、インフレーションノズル１１５にはインフレーション管路１１９が接続されている。
【０１３９】
　先端カバー１１２には、レンズカバー１２０、処置具挿通口１２１、送気ノズル１２２、送水ノズル１２３が設けられている。
【０１４０】
　内視鏡カバー装着時、インフレーション管路１１９より空気を送気し、インフレーションノズル１１５より空気を噴射する。このことにより、シース９３が膨張し、挿入部３１とシース９３との間にクリアランスが生じる。
【０１４１】
　このとき、インフレーションノズル１１５は、対物光学系レンズ１１３、照明光学系レンズ１１４に向けられており、シース９３内に塗付された潤滑用粉末である例えば、コーンスターチ粉やタルク粉などあるいはゴミが対物光学系レンズ１１３や照明光学系レンズ１１４に付着しても吹き飛ばすことができる。またレンズカバー１２０の内面に付着した粉やゴミに関しても同様に吹き飛ばすことができる。
【０１４２】
　このように、インフレーション効果により、装着性が向上し、光学系に付着した粉及びゴミを吹き飛ばすことができるので明瞭な視野を確保できる。
【０１４３】
　また、硬質部１１１の先端部円筒形状を一部切り欠いて形成しているので、挿入部を細径化でき、体腔内への挿入性を向上させることができる。
【０１４４】
　ところで、図４６は内視鏡カバー２の管路系及び内視鏡カバー２とカバー用内視鏡３とを示すものであり、図４６（ａ）に示すように前記内視鏡カバー２には送気、送水を行うための送気・送水管路２１５を有し、口体部２０から先端カバー２１６までの間を１本の管路で形成している。そして、口体部２０の内部には送気、送水、噴霧の切換バルブ２１７を設けている。この切換えバルブ２１７は、送気、送水管路２１５に連通している。また、前記切換バルブ２１７には送水チューブ２１８と送気チューブ２１９とが接続されている。このことにより、送気、送水管路２１５を１本の管路にできるので、挿入部径を細くできる。
【０１４５】
　前記先端カバー２１６には前記送気・送水管路２１５に連通するノズル２２０が設けられ、このノズル２２０の開口方向には撥水コートを施したレンズカバー２２１が設けられている。
【０１４６】
　カバー用内視鏡３の挿入部３１の先端には先端硬質部２２２が設けられている。この先端硬質部２２２には先端カバー２１６に形成した径方向に開口している係止部２２３と、先端硬質部２２２に設けられて前記記係止部開口側から係合する係合部２２４が設けられている。前記係止部２２３と係合部２２４とはシース１７９によって係合部が外ずれるのを防止されている。
【０１４７】
　図４６（ｂ）に示すように先端カバー２１６から先端硬質部２２２を外す過程では、先端カバー２１６の係止部２２３に対して先端硬質部２２２の係合部２２４を係止部２２３の開口側へ移動させる。すると、シース１７９の締め付け力に反して先端硬質部２２２が移動し、係止部２２３と係合部２２４との係合が外れる。そして、先端硬質部２２２をさらに手元側に移動させて取り外す。このことにより、先端カバー２１６と先端硬質部２２２との着脱が容易で使用時に外れにくい構成にすることができる。
【０１４８】
［付記］
１．管路を配設し内視鏡の挿入部を覆う挿入部カバー及びこの挿入部カバーの手元側に位置する挿入部挿入口を有する内視鏡カバーを直線状態に保持するカバー保持台と、観察光学系を配した挿入部及び内視鏡の把持部を兼ねた操作部を有する内視鏡を前記内視鏡カバーと同方向に向けて保持する操作部保持台と、前記操作部保持台または前記カバー保持台の少なくとも一方に、前記内視鏡操作部と前記内視鏡カバーの挿入部挿入口との対向位置関係を一致させる回転手段とを具備する内視鏡カバー装着装置
２．カバー用内視鏡の操作部を、操作部保持部を構成する操作部保持台に対して平行に保持する付記１記載の内視鏡カバー装着装置。
【０１４９】
３．上記回転手段は少なくとも操作部保持台に固定されている操作部をカバー用内視鏡挿入部軸方向に対して、略垂直な面上で回転するようにした付記１及び付記２記載の内視鏡カバー装着装置。
【０１５０】
４．上記回転手段はカバー保持台に固定されている内視鏡カバーをカバー用内視鏡挿入部軸方向に対して、略垂直な面上で回転するようにした付記１記載の内視鏡カバー装着装置。
【０１５１】
５．上記カバー保持台上の内視鏡カバーを保持した状態でカバー用内視鏡を装着する付記４記載の内視鏡カバー装着装置。
【０１５２】
６．上記カバー保持台を鉛直軸に対して９０度以上角度に傾斜させた付記１記載の内視鏡カバー装着装置。
【０１５３】
７．上記カバー保持台に内視鏡カバーを固定する付記４及び付記６記載の内視鏡カバー装着装置。
【０１５４】
８．カバー用内視鏡と内視鏡カバーとを対向方向に移動させて装着する付記３記載の内視鏡カバー装着装置。
【０１５５】
９．カバー保持台の断面形状が雨どい型形状である付記１記載の内視鏡カバー装着装置。
【０１５６】
１０．カバー保持部がＶ型形状である付記１記載の内視鏡カバー装着装置
１１．カバー保持部が凹状形状である付記１記載の内視鏡カバー装着装置
１２．カバー保持手段及び操作部保持手段に滅菌シートを被せられる付記１記載の内視鏡カバー装着装置。
【０１５７】
１３．カバー保持台と操作部保持台との間に間隙を設けた付記１記載の内視鏡カバー装着装置。
【０１５８】
１４．観察光学系を配した挿入部及び内視鏡の把持部を兼ねた操作部を有する内視鏡を鉛直状態に保持する操作部保持台と、管路を配設し内視鏡の挿入部を覆う挿入部カバー及びこの挿入部カバーの手元側に位置する挿入部挿入口を有する内視鏡カバーを鉛直軸に対して９０度以上傾かせて保持するカバー保持台とを具備する内視鏡カバー装着装置。
【０１５９】
１５．カバー用内視鏡のコネクタを保持するコネクタ保持部がカバー保持台側にある付記１及び付記１４記載の内視鏡カバー装着装置。
【０１６０】
１６．カバー用内視鏡のコネクタを保持するコネクタ保持部が操作部保持台側にある付記１記載及び付記１４記載の内視鏡カバー装着装置。
【０１６１】
１７．カバー用内視鏡のコネクタを光源装置につけた状態で内視鏡カバーにカバー用内視鏡を装着可能な付記１４記載の内視鏡カバー装着装置。
【０１６２】
１８．前記内視鏡を保持する操作部保持台を、光源装置やビデオプロセッサなどの内視鏡装置を載置するカートに一体的に設けた付記１４記載の内視鏡カバー装着装置。
【０１６３】
１９．前記カバー用内視鏡の操作部の高さを変化させることなく、前記カバー保持台を鉛直軸に対して９０度からそれ以上の角度に回転移動させてカバー用内視鏡と内視鏡カバーとを装着する付記１４記載の内視鏡カバー装着装置。
【０１６４】
２０．前記カバー保持台が内視鏡カバーの挿入部先端部を下に向けて直立状態でで設置される付記１４及び付記１９記載の内視鏡カバー装着装置。
【０１６５】
２１．前記操作部保持台と前記カバー保持台とを回転移動させてカバー用内視鏡と内視鏡カバーとを装着する付記１４記載の内視鏡カバー装着装置。
【０１６６】
２２．前記カバー保持台を鉛直軸に対して９０度にした状態で、前記操作部保持台の操作部を下方向に移動させると共に、回転移動させてカバー用内視鏡と内視鏡カバーとを装着する付記１４記載の内視鏡カバー装着装置。
【０１６７】
２３．前記操作部を保持する操作部保持台をラック＆ピニオン機構で回転させる付記２１及び付記２２記載の内視鏡カバー装着装置。
【０１６８】
２４．前記操作部を保持する操作部保持台を回転自在に遊嵌勇敢固定した付記２１及び付記２２記載の内視鏡カバー装着装置。
【０１６９】
２５．前記操作部保持台の操作部を固定する固定具の幅を操作部の幅より広くした付記２１及び付記２２記載の内視鏡カバー装着装置。
【０１７０】
２６．前記操作部保持台の操作部を上下方向及び回転移動させると共に、前記カバー保持台を鉛直軸に対して９０度からそれ以上の角度に回転移動させててカバー用内視鏡と内視鏡カバーとを装着する付記１４記載の内視鏡カバー装着装置。
【０１７１】
２７．前記操作部を保持する操作部保持台を油圧シリンダで上下方向に移動させる付記２６記載の内視鏡カバー装着装置。
【０１７２】
２８．前記カバー保持台が内視鏡カバー梱包材を兼ねる付記１４記載の内視鏡カバー装着装置。
【０１７３】
２９．前記操作部保持台に伸縮自在のアームを設けた付記１５記載の内視鏡カバー装着装置。
【０１７４】
３０．前記操作部保持台に内視鏡操作部を保持するハンガーと内視鏡カバーの口体部を保持するハンガーとを設けた付記１４及び付記２６記載の内視鏡カバー装着装置。
【０１７５】
３１．前記操作部保持台のハンガーに内視鏡操作部を保持したとき、操作部側面から延出するユニバーサルコードの延出方向がカートに載置されている内視鏡装置の操作面側に付記３０記載の内視鏡カバー装着装置。
【０１７６】
３２．前記操作部保持台の内視鏡操作部を保持するハンガーの床面からの高さと内視鏡カバーの口体部を保持するハンガーの床面からの高さを、床面からそれぞれのハンガーに取り付けられた内視鏡の挿入部先端面までの距離を同距離にした付記３０記載の内視鏡カバー装着装置。
【０１７７】
３３．前記カバー保持台にカバー用内視鏡の内視鏡カバーへの装着状態を知らしめる指標を設けた付記１４記載の内視鏡カバー装着装置。
【０１７８】
３４．前記カバー保持台に内視鏡カバーの直径の変化に対応する可変ガイド部材を設けた付記１４記載の内視鏡カバー装着装置。
【０１７９】
３５．前記操作部保持台に回転方向を制御するストッパーを設けた付記２１及び付記２６記載の内視鏡カバー装着装置。
【０１８０】
３６．内視鏡カバーにオーバーチューブを被せた状態で装着作業の行える付記１及び付記１４記載の内視鏡カバー装着装置。
【０１８１】
３７．内視鏡カバーの先端部をカバー保持部に固定する固定手段を有する付記１記載の内視鏡カバー装着装置。
【０１８２】
３８．上記固定手段が内視鏡カバーの長さに対応できるよう複数設けられている付記３７記載の内視鏡カバー装着装置。
【０１８３】
３９．内視鏡カバーの口体部と、カバー用内視鏡の操作部との接続部に口体部の係止手段と、この口体部を係止部より操作部側に移動する移動スペースを設けた付記１記載の内視鏡カバー装着装置。
【０１８４】
４０．カバー用内視鏡の挿入部内にインフレーション管路を有し、このインフレーション管路が挿入部の先端硬質部に設けたノズルに連通している付記１記載の内視鏡カバー装着装置。
【０１８５】
４１．内視鏡カバーとカバー用内視鏡との装着が、内視鏡カバーを所定の向きに配置する工程と、内視鏡カバーの向きに対応させてカバー用内視鏡の向きを合わせる工程と、カバー用内視鏡と内視鏡カバーとを近接させて口体部と操作部とを一体にする工程とからなる内視鏡カバー装着方法。
【０１８６】
４２．上記内視鏡カバーの所定の向きは、内視鏡カバーに設けられている管路が内視鏡カバーの断面に対して鉛直方向下側である付記４１記載の内視鏡カバー装着方法。
【０１８７】
４３．上記内視鏡カバーとカバー用内視鏡の位置合わせをカバー用内視鏡の操作部保持部を回転させて合わせる付記４１記載の内視鏡カバー装着方法。
【０１８８】
４４．上記内視鏡カバーとカバー用内視鏡の位置合わせを内視鏡カバーの口体部の位置で合わせる付記４１記載の内視鏡カバー装着方法。
【０１８９】
４５．上記内視鏡カバー側を移動させて行う付記４１記載の内視鏡カバー装着方法。
【０１９０】
４６．上記カバー用内視鏡側を移動させて行う付記４１記載の内視鏡カバー装着方法。
【０１９１】
４７．上記内視鏡カバー側及びカバー用内視鏡側を双方共に移動させて行う付記４１記載の内視鏡カバー装着方法。
【図面の簡単な説明】
【０１９２】
【図１】図１ないし図５は本発明の第１実施例に係り、図１は内視鏡カバー装着装置の概略構成図
【図２】操作部保持台の回転手段を説明する図
【図３】操作部保持台とカバー保持台との間隔と口体部の長さとの関係を示す図
【図４】カバー保持台に配置される内視鏡カバーの向きを説明する図
【図５】内視鏡を内視鏡カバーに装着した状態を示す図
【図６】カバー保持台及び操作部保持台に滅菌シートを被せた内視鏡カバー装着装置を示す図
【図７】図７及び図８は内視鏡カバー装着装置の他の構成に係り、図７は内視鏡カバー装着装置の構成図
【図８】カバー保持台の断面形状を示す図
【図９】操作部保持台の他の構成を示す図
【図１０】操作部保持台の別の構成を示す図
【図１１】本発明の第２実施例に係る内視鏡カバー装着装置の概略構成を示す図
【図１２】内視鏡カバーをカバー用内視鏡に自動で装着する内視鏡カバー装着装置の概略構成を示す図
【図１３】図１３及び図１４は本発明の第３実施例に係り、図１３は内視鏡カバー装着装置の概略構成を示す説明図
【図１４】内視鏡カバー装着装置の作用を説明する図
【図１５】図１５は本発明の第４実施例に係る内視鏡カバー装着装置の概略構成を示す図
【図１６】図１６及び図１７は本発明の第５実施例に係り、図１６は内視鏡カバー装着装置の概略構成を示す図
【図１７】内視鏡カバー装着装置を用いて内視鏡カバーにカバー用内視鏡を装着した状態を示す図
【図１８】前記変形例と一部構成の異なる内視鏡カバー装着装置の概略構成を示す図
【図１９】スコープハンガーの他の構成を示す図
【図２０】本発明の第６実施例に係る内視鏡カバー装着装置の概略構成を示す図
【図２１】アームの他の構成を示す図
【図２２】アームの別の構成を示す図
【図２３】図２３ないし図２５は本発明の第７実施例に係り、図２３は操作部保持台の概略構成を示す側面図
【図２４】内視鏡カバーにカバー用内視鏡の挿入部を挿入している状態を示す側面図
【図２５】図２４の正面図
【図２６】ハンガー支持パイプの変形例を示す図
【図２７】カバー保持台の他の構成を示す図
【図２８】カバー保持台の作用を示す図
【図２９】カバー保持台の別の構成を示す図
【図３０】第１ハンガーの別の構成を説明する図
【図３１】ハンガーの他の構成を示す図
【図３２】カバー保持台の口体部保持部の変形例
【図３３】検査前作業手順を説明する図
【図３４】カバー着脱手順を説明する図
【図３５】検査前作業手順を説明する図
【図３６】検査終了後作業手順を説明する図
【図３７】検査後気密チェック作業手順を説明する図
【図３８】１日の検査終了後作業手順を説明する図
【図３９】口体部と操作部との接続方法を説明する図
【図４０】口体部と操作部との他の接続方法を説明する図
【図４１】口体部と操作部との別の接続方法を説明する図
【図４２】口体部と操作部とのその他の接続方法を説明する図
【図４３】カバー式内視鏡の装着状態を示す図
【図４４】カバー内視鏡の横断面図
【図４５】カバー内視鏡の縦断面図
【図４６】カバー内視鏡の管路及び嵌合部を説明する図
【符号の説明】
【０１９３】
　　１…内視鏡カバー装着装置　
　　２…内視鏡カバー　
　　３…カバー用内視鏡　
　　４…カバー保持台　
　　５…操作部　
　　６…操作部保持台　
　　３１…挿入部　
　　６３…回転ピン
　　代理人　弁理士　　伊藤　進
【図１】
2004008822.tif 000003
【図２】
2004008822.tif 000004
【図３】
2004008822.tif 000005
【図４】
2004008822.tif 000006
【図５】
2004008822.tif 000007
【図６】
2004008822.tif 000008
【図７】
2004008822.tif 000009
【図８】
2004008822.tif 000010
【図９】
2004008822.tif 000011
【図１０】
2004008822.tif 000012
【図１１】
2004008822.tif 000013
【図１２】
2004008822.tif 000014
【図１３】
2004008822.tif 000015
【図１４】
2004008822.tif 000016
【図１５】
2004008822.tif 000017
【図１６】
2004008822.tif 000018
【図１７】
2004008822.tif 000019
【図１８】
2004008822.tif 000020
【図１９】
2004008822.tif 000021
【図２０】
2004008822.tif 000022
【図２１】
2004008822.tif 000023
【図２２】
2004008822.tif 000024
【図２３】
2004008822.tif 000025
【図２４】
2004008822.tif 000026
【図２５】
2004008822.tif 000027
【図２６】
2004008822.tif 000028
【図２７】
2004008822.tif 000029
【図２８】
2004008822.tif 000030
【図２９】
2004008822.tif 000031
【図３０】
2004008822.tif 000032
【図３１】
2004008822.tif 000033
【図３２】
2004008822.tif 000034
【図３３】
2004008822.tif 000035
【図３４】
2004008822.tif 000036
【図３５】
2004008822.tif 000037
【図３６】
2004008822.tif 000038
【図３７】
2004008822.tif 000039
【図３８】
2004008822.tif 000040
【図３９】
2004008822.tif 000041
【図４０】
2004008822.tif 000042
【図４１】
2004008822.tif 000043
【図４２】
2004008822.tif 000044
【図４３】
2004008822.tif 000045
【図４４】
2004008822.tif 000046
【図４５】
2004008822.tif 000047
【図４６】
2004008822.tif 000048